(57)【要約】      （修正有）【課題】シャツやかばん等に留めることのできるクリップ機能と、カードなどの被挟持物を挟持して立てることのできるスタンド機能の両方を兼ね備えたスタンド兼用クリップを提供する。【解決手段】一対のプレート１０と、一対のプレート１０の裏面同士１０ｂを連結するばね部材３０とからなり、一対のプレート１０の上端部あるいは下端部を互いに接する方向に押してばね部材３０を開き、ばね部材３０の開いた間隙に被挟持物を挟持する。【選択図】図１
0003201521.tif 000002
【実用新案登録請求の範囲】
【請求項１】
一対のプレートと、前記一対のプレートの裏面同士を連結するばね部材とからなり、前記一対のプレートの上端部あるいは下端部を互いに接する方向に押して前記ばね部材を開き、ばね部材の開いた間隙に被挟持物を挟持するスタンド兼用クリップ。
【請求項２】
一対のプレートと、前記一対のプレートの裏面同士を連結するばね部材とからなり、前記ばね部材を２個の係止体とこの係止体を連結する連結体によって構成すると共に前記一対のプレートの裏面に固定部を構成し、この固定部に前記ばね部材の係止体を着脱自在に取り付け、前記一対のプレートの上端部あるいは下端部を互いに接する方向に押して前記ばね部材を開き、ばね部材の連結体とプレートの裏面の固定部の間隙に被挟持物を挟持することを特徴とするスタンド兼用クリップ。
【考案の詳細な説明】
【技術分野】
【０００１】
本考案は、カード等のシート状のものを挟むクリップ機能と、挟んだものを立てることのできるスタンド機能の両方を兼ね備えたスタンド兼用クリップに関するものである。
【背景技術】
【０００２】
従来より、シート状のものを挟んで立てるクリップ式のスタンドがあり、例えば特許文献１に開示されているペンホルダー付きクリップスタンドである。
【先行技術文献】
【特許文献】
【０００３】
【特許文献１】実用新案登録第３０３７０４１号公報
【０００４】
この考案は、一対の挟持プレートを常にその上端部相互が圧接する方向へと付勢するばね材を介装させた支軸を介して連結してなるクリップ本体と、該クリップ本体における挟持プレートの側縁部に揺動自在に付設されたペンホルダーとで形成したものである。
【考案の概要】
【考案が解決しようとする課題】
【０００５】
前記特許文献１記載の考案は、一対の挟持プレートを常にその上端部相互が圧接する方向へと付勢しているから、反対側の下縁は相互に圧接することはなく、この部分での被挟持部材の挟持はできないのである。
そのため、被挟持部材を挟持して挟持プレート表面に記載されたキャラクター等を表示するスタンドとしての機能はあるが、シャツやかばん等に留めてキャラクター等を表示するクリップとしての機能は備えていないという課題があった。
【０００６】
本考案は、上記のような従来例の課題を解決するもので、シャツやかばん等に留めることのできるクリップ機能と、カードなどの被挟持物を挟持して立てることのできるスタンド機能の両方を兼ね備えたスタンド兼用クリップを提供することを目的とする。
【課題を解決するための手段】
【０００７】
請求項１に記載の考案は、一対のプレートと、前記一対のプレートの裏面同士を連結するばね部材とからなり、前記一対のプレートの上端部あるいは下端部を互いに接する方向に押して前記ばね部材を開き、ばね部材の開いた間隙に被挟持物を挟持するスタンド兼用クリップである。
【０００８】
請求項２に記載の考案は、一対のプレートと、前記一対のプレートの裏面同士を連結するばね部材とからなり、前記ばね部材を２個の係止体とこの係止体を連結する連結体によって構成すると共に前記一対のプレートの裏面に固定部を構成し、この固定部に前記ばね部材の係止体を着脱自在に取り付け、前記一対のプレートの上端部あるいは下端部を互いに接する方向に押して前記ばね部材を開き、ばね部材の連結体とプレートの裏面の固定部の間隙に被挟持物を挟持することを特徴とするスタンド兼用クリップである。
【考案の効果】
【０００９】
請求項１記載のスタンド兼用クリップは、一対のプレートと前記プレートを連結するばね部材とからなり、前記一対のプレートの上端部あるいは下端部のいずれかを押して前記ばね部材を開いて被挟持物を挟持するため、スタンド兼用クリップの上方あるいは下方の一方あるいは両方に被挟持物を挟持することができる。
そのため、シャツやかばん等に留めてプレート表面に記載されたキャラクター等を表示できるクリップ機能と、カードなどの被挟持物を挟持して机の上などに立ててプレート表面に記載されたキャラクター等を表示できるスタンド機能の両方を兼ね備える等の効果を奏する。
【００１０】
請求項２記載のスタンド兼用クリップは、前記ばね部材を２個の係止体とこの係止体を連結する連結体によって構成して略Ｓ字状とし、前記一対のプレートの裏面に固定部を構成し、この固定部に前記ばね部材を着脱自在に取り付けたから、固定部によってばね部材を安定してプレートに取り付けることができる。また、ばね部材は着脱自在に取り付けられるからプレートの交換が容易に行える等の効果を奏する。
【図面の簡単な説明】
【００１１】
【図１】本考案の実施形態１の分解斜視図
【図２】本考案の実施形態１の組み立て状態の斜視図
【図３】本考案の実施形態１のプレートの正面図
【図４】本考案の実施形態１のプレートの側面図（Ａ）と側面断面図（Ｂ）
【図５】本考案の実施形態１のプレートの背面図
【図６】本考案の実施形態１のプレートの平面図（Ａ）と底面図（Ｂ）
【図７】本考案の実施形態１のばね部材の側面図
【図８】本考案の実施形態１の断面図
【図９】本考案の実施形態１の使用態様図
【図１０】本考案の実施形態１の使用態様図
【図１１】本考案の実施形態１の使用態様図
【図１２】本考案の実施形態１の使用態様図
【考案を実施するための形態】
【００１２】
本考案の実施形態を図に基づいて説明する。
図１乃至図３に示すように、スタンド兼用クリップ１は同形状の一対のプレート１０，１０と、このプレート１０，１０を連結するばね部材３０からなる。前記プレート１０は略長方形状で長手方向に平行な２枚の側板１３，１３を直角に取り付けてある。使用に際しては、一対のプレート１０，１０の一方を上下逆向きにして裏面同士を連結して組み合わせるのである。
【００１３】
図４に示すように、前記側板１３の中央部分はプレート１０と平行な垂直面１５であり、この垂直面１５の上下両端には上端部及び下端部に向かって傾斜する傾斜面１４，１４が連設されている。また前記垂直面１５の両端は回動凹部１８と回動凸部１９が構成されている。
【００１４】
図５、図６に示すように、プレート１０の裏面１０ｂの中央には固定部２０が構成されている。この固定部２０は上板２１と両側板２２，２２からなる断面コ字状であり、プレート１０上に固定することで内部に空間２５が形成される。図中符号２３は上板２１の中央に水平に構成した凸条である。
【００１５】
図７示すように、ばね部材３０は長尺の板部材を等分に三つ折りして、固定部２０へ挿入する係止体３０ａ，３０ａと、この係止体３０ａ，３０ａを連結する連結体３０ｂを平行に構成していて、全体として略Ｓ字状を呈している。係止体３０ａと連結体３０ｂの間には間隙Ｋが構成されている。
図中符号３０ｄは係止体３０ａの中央部に設けた凹溝であり、前記固定部２０の凸条２３と係合するものであり、これによってばね部材３０は固定部２０に安定して保持される。
【００１６】
上記のように構成した実施形態１の作用を説明する。
プレート１０の表面１０ａにキャラクターを印刷してから裏面１０ｂ同士を合わせて、図８に示すようにばね部材３０の係止体３０ａ，３０ａを固定部２０，２０に係止して組み立てる。
【００１７】
使用に際しては、図８に示すようにプレート１０，１０の下端部１２，１２を互いに接するように指ではさんで矢印方向に押すと、プレート１０，１０が下方の回動凹部１８と回動凸部１９を中心に回動して両側に開く。これに伴って固定部２０，２０が両側に開き、ばね部材３０の係止体３０ａ，３０ａも両側に開いて図９の状態となる。
このプレート１０，１０の回動時には、前記垂直部１５の両端に構成した回動凹部１８と回動凸部１９が互いに嵌合した状態で摺動するので、スムーズに安定して回動する。
【００１８】
その後プレート１０，１０の上方からカードＣを挿入し、固定部２０の上板２１と連結体３０ｂの間に挟んで下端部１２，１２の押圧を解除すると、ばね部材３０の復元力でプレート１０，１０が元の位置に戻って図１０の状態となりカードＣは安定して保持される。これを机の上に立ててスタンドとして使用できる（図１１参照）。符号５０はキャラクターである。
【００１９】
図１２は、スタンド兼用クリップ１をシャツのポケットＰに留めた状態を示している。この場合は、前記とは逆にプレート１０，１０の上端部１１，１１を指で押さえて下端部１２，１２を開き、スタンド兼用クリップ１をポケットＰの上から差し込んで留めてキャラクター５１を表示するのである。なおこの状態で、前記と同様にスタンド兼用クリップ１の上方にカードＣを留めることもできる。
【００２０】
図１１、図１２に示すように、本実施形態ではプレート１０の表面１０ａにキャラクター５０、５１が印刷されているが、キャラクター５０、５１に限らず図や写真、デザイン、模様等を印刷できる。また印刷に限らず、手で描いたり、キャラクター等を印刷してあるシールを貼着して使用することもでき、これらの場合はキャラクター等を交換することが可能となる。
【００２１】
前記ばね部材３０を略Ｓ字状に構成したから、固定部２０との係合状態が安定していてずれる恐れがない。またばね部材３０をプレート１０の裏面１０ｂに直接固定することもできるが、本実施形態では固定部２０を使用したため、ばね部材３０の取り付けと作動がより安定するのである。
【００２２】
前記実施形態の効果としては次のものがあげられる。
カード等をクリップしたまま机の上に立ててスタンドとして使えるので、プレート表面のキャラクターを表示して楽しむことができる。
プレートの回動が安定して行えると共に、カード等の挟持も簡易に行える。また、かばんの縁やシャツのポケットなどに留めてプレート表面のキャラクターを表示することができるので興趣につきない。
【符号の説明】
【００２３】
１  スタンド兼用クリップ    １０  プレート  
１０ａ  プレートの表面        １０ｂ  プレートの裏面
１１  プレートの上端部        １２  プレートの下端部
１３  側板                    １４  傾斜面
１５  垂直面                  ２０  固定部
２５  空間部                  ３０  ばね部材
３０ａ  係止体                ３０ｂ  連結体  
５０  キャラクター            ５１  キャラクター
Ｃ    カード                  Ｐ    シャツのポケット
【図１】
0003201521.tif 000003
【図２】
0003201521.tif 000004
【図３】
0003201521.tif 000005
【図４】
0003201521.tif 000006
【図５】
0003201521.tif 000007
【図６】
0003201521.tif 000008
【図７】
0003201521.tif 000009
【図８】
0003201521.tif 000010
【図９】
0003201521.tif 000011
【図１０】
0003201521.tif 000012
【図１１】
0003201521.tif 000013
【図１２】
0003201521.tif 000014